(57)【特許請求の範囲】
【請求項１】
構内交換機の内線を延長して電話機を接続し、且つシグナリング伝送を行う内線延長システムに於いて、
音声データの送受信処理を行う音声チャネル盤と呼制御データの送受信処理を行うシグナリング中継チャネル盤とを組として実装し、且つ前記構内交換機又は電話機を前記シグナリング中継チャネル盤を介して前記音声チャネル盤と接続するチャネル盤実装部と、
前記シグナリング中継チャネル盤と前記音声チャネル盤とに対して異なるチャネルを割り当てて多重・分離を行う共通部と
を備えたことを特徴とする内線延長システム。
【請求項２】
前記共通部は、前記チャネル盤実装部に実装された音声チャネル盤の実装位置に対応したチャネルを割り当て、該音声チャネル盤と組のシグナリング中継チャネル盤の実装位置に対応したチャネルを割り当てて、チャネル対応の多重・分離を行う多重・分離部を有することを特徴とする請求項１記載の内線延長システム。
【請求項３】
前記チャネル盤実装部に実装した音声チャネル盤とシグナリング中継チャネル盤との間をジャンパ線により接続し、且つ電話機を前記シグナリング中継チャネル盤に接続する主配線盤を備えたことを特徴とする請求項１又は２記載の内線延長システム。
【発明の詳細な説明】
【０００１】
【発明の属する技術分野】
本発明は、構内交換機に対して遠隔地の電話機を、内線電話機と同様に取り扱う為の内線延長システムに関する。
【０００２】
【従来の技術】
構内交換機に対して遠隔地に設置した比較的少数の電話機を、その構内交換機の内線電話機と同様に制御できる内線延長システムが知られている。例えば、図５に示すように、電話機１０１は、直接的に構内交換機１００に収容されて、内線電話機として通話が可能であり、又遠隔地に設置した電話機１０２を、構内交換機１００に対して音声＋信号チャネル盤１０３，１０４と伝送路１０５とを介して接続し、この電話機１０２を構内交換機１００の内線電話機と同様に制御することができる。この場合の伝送路１０５は、通信事業者が提供する専用線を用いることができる。
【０００３】
又音声＋信号チャネル盤１０３は、構内交換機１００と伝送路１０５との間を接続する内線延長専用のチャネル盤であり、又音声＋信号チャネル盤１０４は、伝送路１０５と電話機１０２との間を接続する内線延長専用のチャネル盤であって、音声信号伝送と、電話機のオンフック，オフフック，ダイヤルパルス等のシグナリング伝送とを行う機能を備えている。
【０００４】
図６は従来例の内線延長システムの説明図であり、１１０は構内交換機、１１１，１１２は電話機、１１３，１１４はチャネル盤実装部、１１５，１１６，１１７は伝送路、１１８，１１９は上位多重装置、１２０，１２１は内線延長用ＣＨ（チャネル）盤、１２２，１２３はチャネル盤実装部の共通部を示す。
【０００５】
又内線延長用ＣＨ盤１２０，１２１は、例えば、チャネルＣＨ１を用いて電話機１１２と構内交換機１００との間の音声信号とシグナリングとの伝送を行う場合を示し、音声処理部ＣＨとシグナリング中継処理部ＳＩＧとから構成されている。又共通部１２２，１２３に対しては、音，Ｓとして示す内線延長用ＣＨ盤が延長内線電話機対応に実装される。
【０００６】
又チャネル盤実装部１１３，１１４と上位多重装置１１８，１１９との間の伝送路１１５，１１７に於ける伝送フレームは、例えば、６Ｍインタフェースとすると、９６個のタイムスロットＳＴ１〜ＳＴ９６と２個のシグナリング用タイムスロットＳＴと１個のフレームＦとを含むものであり、主信号の音声信号は、チャネル対応のタイムスロットＳＴ１〜ＳＴ９６により伝送され、チャネル対応のシグナリングはタイムスロットＳＴに多重化され、主信号に比較して低速で伝送される。
【０００７】
図７は従来例の内線延長専用のチャネル盤の説明図であり、１３１，１３２は電話機、１３３，１３４はチャネルＣＨ１，ＣＨｎのＣＨ（チャネル）盤、１３５は共通部、１３６は伝送路ＩＦ（インタフェース）部、１３７は多重・分離部、１３８は主信号／ＳＴ多重・分離部を示す。又ＣＨ盤１３３，１３４は、それぞれ音声処理用Ｔとシグナリング用ＲＥＰとの機能を備えており、ＳＤ，ＲＤは送信，受信音声データ、ＳＩＧＳ，ＳＩＧＲはオンフック，オフフック，ダイヤル等の送信，受信シグナリングを示す。
【０００８】
又Ｓ／Ｒは伝送路上の送信／受信の多重化データを示し、Ｓ／ＲＤＡＴＡは共通部１３５と伝送路ＩＦ部１３６との間の送信／受信データを示し、ＳＩＧＳＤ／ＲＤは共通部１３５と伝送路ＩＦ部１３６との間の送信／受信シグナリングを示す。又電話機１３１による音声信号は、チャネルＣＨ１としてタイムスロットＳＴ１に多重化され、電話機１３２による音声信号は、チャネルＣＨｎとしてタイムスロットＳＴ２に多重化される。又チャネルＣＨ１，ＣＨｎのシグナリングは、タイムスロットＳＴに多重化される場合を示す。
【０００９】
送信／受信の多重化データＳ／ＲのタイムスロットＴＳ１にチャネルＣＨ１の音声データが多重化され、又タイムスロットＴＳ２にチャネルＣＨｎの音声データが多重化され、又タイムスロットＳＴにチャネルＣＨ１，ＣＨｎのシグナリングが多重化されている場合を示し、伝送路ＩＦ部１３６の主信号／ＳＴ多重・分離部１３８に於いて、音声データとシグナリングとの多重化及び分離を行うものである。従って、伝送路を介して図示を省略している構内交換機の内線延長用のチャネル盤と接続することにより、その構内交換機に直接的に収容された内線電話機と同様に、発呼，着呼の制御によって、通話を行うことができる。
【００１０】
【発明が解決しようとする課題】
前述の従来例は、共通部１３５に於いてシグナリング伝送を可能としているので、内線延長専用のチャネル盤を実装することにより、内線延長が可能となる。しかし、シグナリング伝送をサポートしないシステムも比較的多く存在し、このようなシステムに於いては、内線延長専用のチャネル盤を実装しても、内線延長を実現することができないことになる。そこで、インバンドリンガ方式を適用することが考えられている。
【００１１】
このインバンドリンガ方式は、主信号の音声データの一部のビットを所定の周期毎にシグナリングに割り当てるピットスチール手段によってシグナリング伝送を行うものである。その場合、構内交換機側と内線延長電話機側とに、それぞれビットスチールによるシグナリング伝送手段を設ける必要がある。従って、ユーザ側に対する工事並びに経済的な負担が発生する問題がある。即ち、シグナリング伝送をサポートしないシステムに於ける内線延長を簡単に実現することができなかった。
【００１２】
本発明は、内線延長サービスをサポートしないシステムに於いても、内線延長サービスを容易に実現することを目的とする。
【００１３】
【課題を解決するための手段】
本発明の内線延長システムは、図１を参照して説明すると、構内交換機１の内線を延長して電話機３を接続し、且つシグナリング伝送を行う内線延長システムであって、音声データの送受信処理を行う音声チャネル盤６，７と呼制御データの送受信処理を行うシグナリング中継チャネル盤４，５とを組として実装し、且つ構内交換機１又は電話機３を、シグナリング中継チャネル盤４，５を介して音声チャネル盤６，７と接続するチャネル盤実装部と、シグナリング中継チャネル盤４，５と音声チャネル盤６，７とに対して異なるチャネルを割り当てて多重・分離を行う共通部８，９とを備え、シグナリングを一つのチャネルを用いて伝送する。
【００１４】
又共通部８，９は、チャネル盤実装部に実装された音声チャネル盤６，７の実装位置に対応したチャネルを割り当て、この音声チャネル盤と組のシグナリング中継チャネル盤４，５の実装位置に対応したチャネルを割り当てて、チャネル対応の多重・分離を行う多重・分離部を有するものである。
【００１５】
又チャネル盤実装部に実装した音声チャネル盤６，７とシグナリング中継チャネル盤４，５との間をジャンパ線により接続し、且つ電話機を前記シグナリング中継チャネル盤４，５に接続する主配線盤を備えることができる。
【００１６】
【発明の実施の形態】
図１は本発明の実施の形態の説明図であり、１は構内交換機、２，３は電話機、４，５はシグナリング中継チャネル盤、６，７は音声チャネル盤，８，９は共通部、１０は伝送路、１１，２１は給電・ループ検出・ＤＰ（ダイヤルパルス）検出回路、１２，２２は１６Ｈｚ検出・送出回路、１３，２３はループ形成定電流回路、１４，２４はリングトリップ回路、１５，２５は制御回路、１６，２６は信号伝送・検出回路を示し、電話機３から電話機２に発呼した状態を示す。
【００１７】
呼制御データの送受信を行うシグナリング中継チャネル盤４，５と音声データの送受信を行う音声チャネル盤６，７とを実装して共通部８，９に接続する。共通部８，９は多重・分離機能を有し、伝送路１０を介して多重化データの送受信を行うもので、音声チャネル盤６，７対応に割り当てたチャネルと、シグナリング中継チャネル盤４，５対応に割り当てたチャネルとの多重化処理及び分離処理を行うものである。
【００１８】
シグナリング伝送をサポートしていないシステムに於いては、チャネル盤実装部に、音声処理用とシグナリング中継用との機能を備えたチャネル盤を実装しても、共通部に於いて音声データのみを多重化し、シグナリングは終端処理し、例えば、共通部に接続された監視，制御用の端末装置に、終端したシグナリングを転送するものである。即ち、シグナリング伝送をサポートしないシステムの共通部８，９は、図７に示すようなシグナリングについての多重・分離の機能を備えていないものである。
【００１９】
そこで、音声チャネル盤６，７対応のチャネルと異なるチャネルにシグナリング伝送チャネル盤８，９を割り当てるように共通部８，９に接続する。このシグナリング中継チャネル盤４，５は、電話機の発呼，着呼制御に必要な給電・ループ検出・ＤＰ検出回路１１，２１と、１６Ｈｚ検出・送出回路１２，２２と、ループ形成定電流回路１３，２３と、リングトリップ回路１４，２４とを含み、リレー等のスイッチを介して構内交換機１側及び電話機３側と接続し、又信号伝送・検出回路１６，２６を介して共通部８，９と接続している。
【００２０】
図示の状態は、前述のように、電話機３から電話機２に発呼した場合を示し、電話機３のオフフックにより、シグナリング中継チャネル盤５の給電・ループ検出・ＤＰ検出回路２１が電話機３側に接続され、オフフックによるループを検出したシグナリングを信号伝送・検出回路２６を介して共通部９に転送する。共通部８は、シグナリング中継チャネル盤５に割り当てたチャネルに、オフフック検出のシグナリングを多重化して伝送路１０に送出する。
【００２１】
この伝送路１０を介して共通部８がシグナリング中継チャネル盤５対応のチャネルによってシグナリングを受信して分離し、シグナリング中継チャネル盤４の信号伝送・検出回路１６に転送する。この信号伝送・検出回路１６からループ形成定電流回路１３を起動し、構内交換機１に対して図示のようにループ形成定電流回路１３を接続してループを形成する。制御回路１５，２５は、発呼，着呼等のシーケンスに従ってリレー等のスイッチを制御し、各回路の接続制御を行うものである。
【００２２】
構内交換機１は、ループ形成定電流回路１３によるループを検出し、ダイヤルトーンを送出する。このダイヤルトーンを１６Ｈｚ検出・送出回路１２により検出し、ダイヤルトーンを信号伝送・検出回路１６を介して共通部８に転送し、シグナリング中継チャネル盤４対応のチャネルにより多重化して伝送路１０に送出する。
【００２３】
共通部９はシグナリング中継チャネル盤４対応のチャネルを分離し、シグナリング中継チャネル盤５の信号伝送・検出回路２６に転送し、１６Ｈｚ検出・送出回路２２によりダイヤルトーンを検出して、電話機３にダイヤルトーンを送出する。このダイヤルトーンを受信した電話機３からダイヤルすることにより、給電・ループ検出・ＤＰ検出回路２１によりダイヤルパルス（ＤＰ）を検出し、信号伝送・検出回路２６からＳＤ（ＳＩＧＳ）として示すように共通部９にダイヤルパルスを送出する。共通部９は、前述のように、このシグナリングをシグナリング中継チャネル盤５対応のチャネルにより多重化して伝送路１０に送出する。
【００２４】
共通部８は、伝送路１０を介して伝送されたシグナリングを分離し、ＲＤ（ＳＩＧＮ）として示すように、シグナリング中継チャネル盤４の信号伝送・検出回路１６に転送する。このダイヤルパルスをループ形成定電流回路１３を介して構内交換機１に転送する。構内交換機１は、このダイヤルパルスを検出して、電話機２に呼出信号を送出する。
【００２５】
電話機２がオフフックにより応答すると、構内交換機１は、極性反転等により応答を通知し、給電・ループ検出・ＤＰ検出回路１１により検出して前述のように、発呼側のシグナリング中継チャネル盤５に通知し、シグナリング中継チャネル盤４は構内交換機１と音声チャネル盤６との間を接続し、シグナリング中継チャネル盤５は、電話機３と音声チャネル盤７の間を接続する。それによって、電話機２，３間に通話路が形成されて通話を行うことができる。この通話の音声信号は、音声チャネル盤６，７対応のチャネルによって、伝送路１０により伝送される。
【００２６】
図２は本発明の実施の形態の信号の流れの概要説明図であり、図１と同一符号は同一部分を示し、２６は伝送路ＩＦ（インタフェース）部、２７は主信号／ＳＴ多重・分離部、２８は多重・分離部、２９は制御／監視用のワークステーションを示す。又電話機３対応に、音声チャネル盤７とシグナリング中継チャネル盤５とを組として実装し、共通部９に接続する。この共通部９は、前述のように、シグナリング伝送をサポートしていないシステムに於ける構成を有するもので、制御／監視用の信号ＳＴを終端し、ワークステーション２９に転送する。又ワークステーション２９からの制御信号を共通部９から音声チャネル盤７等に転送する。
【００２７】
電話機３対応の音声チャネル盤７にチャネルＣＨ１を割り当て、シグナリング中継チャネル盤５にチャネルＣＨｎを割り当てた場合に、伝送路の送信多重データＳ及び受信多重データは、例えば、Ｓ／Ｒとして示すように、タイムスロットＳＴ１にチャネルＣＨ１、タイムスロットＳＴ２にチャネルＣＨｎのデータが多重化されて伝送される。又伝送路ＩＦ部２６と共通部９との間の送信多重データＳＤＡＴＡと受信多重データＲＤＡＴＡとは、Ｓ／ＲＤＡＴＡとして示すものとなる。
【００２８】
共通部９に於いては、タイムスロットＳＴ１のチャネルＣＨ１を分離して音声チャネル盤７に転送し、タイムスロットＳＴ２のチャネルＣＨｎを分離してシグナリング中継チャネル盤５に転送する。又音声チャネル盤７からの送信データＳＤはチャネルＣＨ１に、シグナリング中継チャネル盤５からのシグナリングはチャネルＣＨｎに、それぞれ多重化する。各音声チャネル盤７及び各シグナリング中継チャネル盤５と、共通部９との間の送信データＳＤと受信データＲＤとは、ＳＤ／ＲＤとして示すように、共通部９内に於いて多重化され、又チャネル対応に多重分離される。又各チャネルは、ＣＨ１，ＣＨｎとして示すように、主信号と、制御／監視用のＳＧ信号とを含み、この制御／監視用の信号ＳＴを含むＳＧ信号は共通部９に於いて終端されて、ワークステーション２９に転送される。
【００２９】
図３は本発明の実施の形態の内線延長システムの説明図であり、１は構内交換機、２，３は電話機、４，５はシグナリング中継チャネル盤（ＳＩＧ  ＲＥＰ）、６，７は音声チャネル盤（音声ＣＨ）、８，９は共通部、３１，３２はチャネル盤実装部、３３，３４は上位多重装置、３５，３６，３７は伝送路を示す。又チャネル盤実装部３１，３２は、下方に示すように、共通部８，９と、複数の音声チャネル盤（音声）とシグナリング中継チャネル盤（ＳＩＧ）とを組として実装可能の構成を有し、同一のコネクタ形状とすることにより、任意の位置に実装可能となっている。
【００３０】
前述のように、共通部８，９はシグナリング伝送をサポートしない構成を有するものであり、又音声チャネル盤６，７とシグナリング中継チャネル盤５，６とは、チャネル盤実装部３１，３２の任意の位置に実装可能とし、相互間は図示を省略したジャンパ線によって接続する。又音声チャネル盤６，７にチャネルＣＨ１を割り当て、シグナリング中継チャネル盤４，５にチャネルＣＨ２を割り当てた場合を示す。
【００３１】
従って、伝送路３５，３７上では、６Ｍインタフェースとすると、図示のように、タイムスロットＳＴ１〜ＳＴ９６，ＳＴ，ＳＴ，Ｆの構成となり、例えば、タイムスロットＳＴ１にチャネルＣＨ１、タイムスロットＳＴ２にチャネルＣＨ２が多重化される。又音声チャネル盤６，７と共通部８，９との間のチャネルＣＨ１は、主信号（音声）と、ＳＴ信号を含むＳＧ信号（制御／監視）とからなり、又シグナリング中継チャネル盤４，５と共通部８，９との間のチャネルＣＨ２は、主信号（シグナリング）とＳＴ信号を含むＳＧ信号（制御／監視）とからなるもので、主信号（シグナリング）は、チャネルＣＨ２に多重化されて送受信される。
【００３２】
図４は本発明の実施の形態のチャネル盤実装部の説明図であり、４１は電話機、４２は主配線盤（ＭＤＦ）、４３はジャンパ線、４４はバックワイヤボード、４５は音声チャネル盤、４６は音声処理部、４７は２線４線変換部、４８はコネクタ（ＣＮ）、４９はシグナリング中継チャネル盤、５０，５１は切替回路、５２はシグナリング中継処理部（ＲＥＰ）、５３はコネクタ（ＣＮ）を示す。なお、チャネル盤実装部の共通部との接続構成は図示を省略している。
【００３３】
音声チャネル盤４５とシグナリング中継チャネル盤４９とは、同一の寸法構成を有して、同一形状のピン配置構成のコネクタ４８，５３を有するものであり、又チャネル盤実装部のバックワイヤボード４４は、２線の電話回線の接続端子４ＷＳ（Ｔ）／２Ｗ，４ＷＳ（Ｒ）／２Ｗと、クロック端子ＣＬＫと、＋５Ｖの電源端子と、グランド端子ＧＮＤと、制御／監視端子と、４線の端子４ＷＲ（Ｔ），４ＷＲ（Ｓ）とを含み、音声チャネル盤４５を実装すると、電話回線は２線であるから、端子４ＷＳ（Ｔ）／２Ｗ，４ＷＳ（Ｒ）／２Ｗにより音声処理部４６が接続される。
【００３４】
又シグナリング中継チャネル盤４９を実装すると、端子４ＷＳ（Ｔ）／２Ｗ，４ＷＳ（Ｒ）／２Ｗと切替回路５０，５１を介してシグナリング中継処理部５２と接続し、又図１に示すシグナリング中継チャネル盤４，５の内部回路構成を有するシグナリング中継処理部５２の制御により、端子４ＷＳ（Ｔ）／２Ｗ，４ＷＳ（Ｒ）／２Ｗと、端子４ＷＲ（Ｔ），４ＷＲ（Ｒ）との間を接続する構成を有するものである。
【００３５】
そこで、主配線盤４２を図示のようにジャンパ線４３により接続し、この主配線盤４２に接続した電話機４１を、シグナリング中継チャネル盤４９に引込み、このシグナリング中継チャネル盤４９を介して音声チャネル盤４５に接続することができる。従って、音声信号は、音声チャネル盤４５に対応して割り当てられたチャネルを介して伝送され、又シグナリングは、シグナリング中継チャネル盤４９に割り当てられたチャネルを介して伝送される。又主配線盤４２のジャンパ線４３による接続は、ジャンパ線設定入力により、自動機械によって、或いはソフト処理によって実行することができる。
【００３６】
本発明は、前述の実施の形態のみに限定されるものではなく、種々付加，変更することが可能であり、伝送路に於ける多重化手段も既に知られている各種の構成を適用することができる。
【００３７】
【発明の効果】
以上説明したように、本発明は、シグナリング伝送をサポートしていないシステムに於いて、音声チャネル盤６，７と、シグナリング中継チャネル盤４，５とにそれぞれにチャネルを割り当てるように共通部８，９に接続する構成として、シグナリング中継チャネル盤４，５により、構内交換機１と内線延長電話機３との間のシグナリング伝送を可能とするものであり、音声チャネル盤６，７と、シグナリング中継チャネル盤４，５との実装接続のコネクタ構成を同一とすることにより、任意の位置に実装可能となる。又専用線の場合の音声チャネル盤と兼用することも可能となり、又インバンドリンガ方式に於けるビットスチール手段を構内交換機１側及び電話機３側に設ける必要もなく、経済的に内線延長サービスを提供することができる利点がある。
【図面の簡単な説明】
【図１】本発明の実施の形態の説明図である。
【図２】本発明の実施の形態の信号の流れの概要説明図である。
【図３】本発明の実施の形態の内縁延長システムの説明図である。
【図４】本発明の実施の形態のチャネル盤実装部の説明図である。
【図５】内縁延長システムの説明図である。
【図６】従来例の内線延長システムの説明図である。
【図７】従来例の内線延長専用のチャネル盤の説明図である。
【符号の説明】
１  構内交換機
２，３  電話機
４、５  シグナリング中継チャネル盤
６，７  音声チャネル盤
８，９  共通部
１０  伝送路
【図１】
0003837692.tif 000002
【図２】
0003837692.tif 000003
【図３】
0003837692.tif 000004
【図４】
0003837692.tif 000005
【図５】
0003837692.tif 000006
【図６】
0003837692.tif 000007
【図７】
0003837692.tif 000008